(57)【要約】【課題】異なる太さの電線束のそれぞれに対して、略Ｕ字状の電線受け部の内幅を適応させることができるワイヤーハーネス布線治具とワイヤーハーネス布線治具用幅調整部品を提供する。【解決手段】ワイヤーハーネス布線板上に立設される支柱部１２と、該支柱部１２の上端部側に設けられ、略Ｕ字状の電線受け部１３とを有する布線治具本体１４と、前記電線受け部１３の略Ｕ字状間に配置可能な複数の幅調整部を有し、前記電線受け部１３に着脱自在に装着され、前記電線受け部１３の内幅を調整する幅調整部品１５を備え、前記幅調整部品１５は、横断面が多角形状をなし、略Ｕ字状の電線受け部１３の柱状部１３ａが挿通される挿通孔１６が前記横断面に垂直に設けられ、前記挿通孔１６は幅調整部となる側面から所望の距離だけ離間している、角柱状部材からなる。【選択図】図１
2005332763.tif 000002
【特許請求の範囲】
【請求項１】
ワイヤーハーネス布線板上に配置されてワイヤーハーネス布線作業に用いられ、ワイヤーハーネスを構成する複数の電線が布線されて形成された電線束を受け止めるワイヤーハーネス布線治具であって、
ワイヤーハーネス布線板上に立設される支柱部と、前記支柱部の上端部側に設けられ、略Ｕ字状に形成された電線受け部とを有する布線治具本体と、
前記電線受け部の略Ｕ字状間に配置可能な複数の幅調整部を有し、前記略Ｕ字状の電線受け部に着脱自在に装着され、前記電線受け部の内幅を調整する幅調整部品とを備えたことを特徴とするワイヤーハーネス布線治具。
【請求項２】
ワイヤーハーネスを構成する複数の電線からなる電線束を受け止めるための電線受け部が対となる柱状部の下部同士を曲がり部で連結して略Ｕ字状に設けられ、前記柱状部の一つに着脱自在に装着されて、前記電線受け部の内幅を調整するワイヤーハーネス布線治具用幅調整部品であって、
長手方向に延びる柱状体をなし、前記電線受け部の内幅を調整する複数の幅調整部が前記柱状体の外表面の一部に長手方向にわたって形成され、前記電線受け部の柱状部に挿通される挿通孔が前記電線束の太さから定まる所定距離だけ前記幅調整部から離間して前記柱状部に長手方向にわたって設けられていることを特徴とするワイヤーハーネス布線治具用幅調整部品。
【請求項３】
前記ワイヤーハーネス布線治具の電線受け部の曲がり部に着脱自在に装着可能は溝部を有することを特徴とする請求項２に記載のワイヤーハーネス布線治具用幅調整部品。
【発明の詳細な説明】
【技術分野】
【０００１】
本発明は、ワイヤーハーネス布線治具およびワイヤーハーネス布線治具用幅調整部品に関する。
【背景技術】
【０００２】
ワイヤーハーネスの組み立てはワイヤーハーネス布線板上でなされ、該布線板上に立設した布線治具に複数本の電線が配索されてなる電線束を支持しながら、所要の形態に布線し、所要の枝形状を有する電線束を形成している。
【０００３】
図７（ａ）、（ｂ）に示すように、従来の布線治具１は、電線束６を受け止めるための略Ｕ字状の電線受け部２とこの電線受け部２を支持する支柱部３とを有している。支柱部３は２個のナット４で布線板５に固定されている。この電線受け部２は、電線束６の最大の太さ（最多の電線通過本数）に合わせて、その略Ｕ字状の幅寸法Ｄ0 が設定されている。したがって、図７（ａ）に示すように、最大の太さの電線束６を受け止める場合、略Ｕ字状の電線受け部２の中心（言い換えると、支柱部３の中心線）上に電線束６の中心軸が位置している。
【０００４】
ところで、ワイヤーハーネスの電線束６は、その仕様等によって電線数がまちまちで、各種の太さのものがある。図７（ｂ）に示すように、電線束６の太さＤ1 が電線受け部２の内幅寸法Ｄ0 よりも小さいと、布線作業時に受ける力により電線束６が電線受け部２の一方の側に寄せられ、略Ｕ字状の電線受け部２の中心と電線束６の中心軸が位置ずれ（ずれ量δ＝（Ｄ0 −Ｄ1 ）／２）してしまう。
上述のように、電線受け部２の中心と電線束６の中心軸が位置ずれすると、例えば以下のような問題が生じる。
【０００５】
即ち、図８（ａ）に示すように、幹線の電線束６ａから枝線の電線束６ｂを分岐し、枝線の電線束６ｂに部品７を取り付ける場合、部品７の取付位置は電線束６ａの中心軸を基準にして所定の距離Ｌ0 だけ離間するように設定される。布線板上では、布線治具の電線受け部２の中心と部品取付位置の間の距離が前記所定の距離Ｌ0 に設定される。
図８（ａ）では、電線受け部２は略Ｕ字状の３本の柱状部２ａからなっており、幹線の電線束６ａは片側が一本の柱状部２ａで、他の側が２本の柱状部２ａで受け止められ、電線束６ａの太さＤ1 と電線束６ａを受け止める電線受け部２の内幅寸法Ｄ0 が一致している。このように、幹線の電線束６ａの太さＤ1 が電線受け部２の略Ｕ字状の内幅寸法Ｄ0 にほぼ等しい場合には、電線受け部２に受け止められた電線束６ａの中心軸と電線受け部２の中心が一致し、部品７は枝線の電線束６ｂの所定位置に取り付けられる。
しかしながら、図８（ｂ）に示すように、幹線の電線束６ａの太さＤ1 が電線受け部２の内幅寸法Ｄ0 よりも細い場合には、幹線の電線束６ａは布線作業時に枝線の電線束６ｂに引っ張られて、電線束６ａの中心軸が移動して電線受け部２の中心よりも部品取付位置側に偏り、布線板上の部品７の取付位置と幹線の電線束６ａの中心軸との距離Ｌ1 が所定の距離Ｌ0 よりも短くなり、部品７の取付位置の精度が悪くなる。そうすると、例えば部品７が相手側へ固定される場合、ワイヤーハーネスを組付けることができないといった問題が生じる。
【０００６】
そこで、異なる太さの電線束に対して、布線治具の電線受け部の中心と受け止められた電線束の中心軸を一致させるためには、異なる太さのそれぞれ電線束に対応する略Ｕ字状の内幅寸法の電線受け部を備えた布線治具を多数用意することが必要になり、多種類の布線治具を用意しなければならないという問題が生じた。
この問題を解決するために、図９に示すように、電線受け部２の内幅寸法を調整することができる布線治具８が提案されている。この布線治具８は、従来から用いられている布線治具に相当する布線治具本体９の略Ｕ字状の電線受け部２に，その内幅寸法を調整するための略Ｕ字状の内幅ｄのアダプタ１０を嵌め込んだものである。このアダプタ１０の内幅ｄを支持される電線束６ａの太さに合わせることにより、電線受け部２の中心と電線束６ａの中心軸を一致させることができるので、アダプタ１０を換えるだけで、一種類の布線治具本体９で異なる太さの電線束６ａに対応することができる（例えば、特許文献１参照）。
【特許文献１】特開平８−６９７２１号公報
【発明の開示】
【発明が解決しようとする課題】
【０００７】
しかしながら、上述のアダプタ１０を嵌め込んだ布線治具８では、異なる太さの電線束６ａそれぞれに対応する複数のアダプタ１０を用意しなければならないという問題があった。
そこで、本発明の目的は、異なる太さの電線束のそれぞれに対して、略Ｕ字状の電線受け部の内幅を簡単に適応させることができるワイヤーハーネス布線治具とワイヤーハーネス布線治具用幅調整部品を提供することである。
【課題を解決するための手段】
【０００８】
請求項１記載の発明は、ワイヤーハーネス布線板上に配置されてワイヤーハーネス布線作業に用いられ、ワイヤーハーネスを構成する複数の電線が布線されて形成された電線束を受け止めるワイヤーハーネス布線治具であって、ワイヤーハーネス布線板上に立設される支柱部と、前記支柱部の上端部側に設けられ、略Ｕ字状に形成された電線受け部とを有する布線治具本体と、前記電線受け部の略Ｕ字状間に配置可能な複数の幅調整部を有し、前記略Ｕ字状の電線受け部に着脱自在に装着され、前記電線受け部の内幅を調整する幅調整部品とを備えたことを特徴とするワイヤーハーネス布線治具である。
【０００９】
また、請求項２記載の発明は、ワイヤーハーネスを構成する複数の電線からなる電線束を受け止めるための電線受け部が対となる柱状部の下部同士を曲がり部で連結して略Ｕ字状に設けられ、前記柱状部の一つに着脱自在に装着されて、前記電線受け部の内幅を調整するワイヤーハーネス布線治具用幅調整部品であって、長手方向に延びる柱状体をなし、前記電線受け部の内幅を調整する複数の幅調整部が前記柱状体の外表面の一部に長手方向にわたって形成され、前記電線受け部の柱状部に挿通される挿通孔が前記電線束の太さから定まる所定距離だけ前記幅調整部から離間して前記柱状部に長手方向にわたって設けられていることを特徴とするワイヤーハーネス布線治具用幅調整部品である。
なお、前記略Ｕ字状の電線受け部において、略Ｕ字状に立ち上がる柱状部は２本とは限らず、３本以上の場合も含むものとする。
【００１０】
さらに、請求項３記載の発明は、請求項２記載の発明において、前記ワイヤーハーネス布線治具の電線受け部の曲がり部に着脱自在に装着可能な溝部を有することを特徴とするワイヤーハーネス布線治具用幅調整部品である。
【００１１】
請求項１記載の発明では、電線受け部の略Ｕ字状間に配置する幅調整部を代えることにより、一種類の幅調整部品で電線受け部の略Ｕ字状の内幅を複数の大きさに調整することができる。
【００１２】
また、請求項２記載の発明では、挿通孔に略Ｕ字状の電線受け部の一つの柱状部を挿通し、電線受け部の内側に向ける幅調整部を代えることにより、略Ｕ字状の電線受け部の内幅を複数の大きさに調整することができる。
【００１３】
さらに、請求項３記載の発明では、布線作業において電線束を電線受け部から取り外す際に、電線束に引きずられても、電線受け部の曲がり部から外れにくくなる。
【発明の効果】
【００１４】
請求項１記載の発明によれば、一種類の幅調整部品で異なる太さの電線束を電線受け部で受け止め、異なる太さの電線束を作業性よく、かつ精度よく布線することができるという優れた効果がある。
【００１５】
また、請求項２記載の発明によれば、電線受け部の内側に向ける幅調整部を代えて、電線受け部の一つの柱状部を挿通孔に挿通することにより、電線受け部の略Ｕ字状の内幅を異なる電線束の太さに合うように容易に調整することができるという優れた効果がある。
【００１６】
さらに、請求項３記載の発明によれば、布線作業において電線束を電線受け部から取り外す際に、幅調整部品が電線束とともに電線受け部から外れるのを防止することができるという優れた効果がある。
【発明を実施するための最良の形態】
【００１７】
以下、図面に基づいて本発明の実施の形態を詳細に説明する。
図１は、本発明にかかるワイヤーハーネス布線治具の一実施形態の正面図であり、図２（ａ）〜（ｃ）はそれぞれ、前記実施形態に用いた幅調整部品の平面図、正面図および側面図である。
【００１８】
図１に示すように、本実施形態の布線治具１１は、布線板上に立設される支柱部１２の上端に略Ｕ字状をなす電線受け部１３が設けられた布線治具本体１４と、電線受け部１３の２本の柱状部１３ａに着脱自在に装着される幅調整部品１５とからなる。布線治具本体１４は従来の布線治具と同等のものである。
【００１９】
幅調整部品１５は、図２（ａ）〜（ｃ）に示すように、横断面が長方形断面の角柱状体をなし、角柱状体の角部にはＲがつけられている。また、幅調整部品１５は、電線受け部１３の柱状部１３ａが挿通される挿通孔１６が前記長方形断面に垂直に設けられている。挿通孔１６は、長方形断面の短辺をなす側面１５ａからの距離はＷ1 、側面１５ｂからの距離はＷ2 であって、側面１５ａ、１５ｂから異なる距離に設けられている。さらに、幅調整部品１５は底部に、柱状部１３ａの下部の曲がり部が嵌め込まれる溝１７が長辺方向に設けられており、挿通孔１６の挿通口と溝１７は逆Ｔ字状につながっている。なお、溝１７と挿通孔１６とは、電線受け部１３の曲がり部が嵌め込み可能に、Ｒ部を介してつながっている。そうして、溝１７は、開口部が狭く設けられ、本実施の形態では柱状部１３ａの径よりも狭く設けられている。
【００２０】
幅調整部品１５の柱状部１３ａへの装着は、底部の溝１７を押し開くようにして柱状部１３ａを挿通孔１６の挿通口に挿通し、さらに柱状部１３ａの下部の略Ｕ字状曲がり部を溝１７に嵌め込んでおこなう。この状態で、幅調整部品１５は、溝１７の開口部が狭くなっているので、柱状部１３ａから容易に脱落することなく、かつ着脱自在に装着される。また、幅調整部品１５では、長方形断面の短辺が形成する側面１５ａ、１５ｂが幅調整部になっており、側面１５ａ、１５ｂのうち、所望の側面を電線受け部１３の内側に向けて装着することにより、電線受け部１３の内幅を所望の幅に調整することができる。
さらに、２本の柱状部１３ａへ装着された幅調整部品１５間に電線束を配線する際には、幅調整部品１５の角部にはＲがついているため、電線束は幅調整部品１５間をスムーズに動き、電線束に加わる張力を小さくすることができる。
【００２１】
幅調整部品１５の挿通孔１６は、前記長方形断面の短辺が形成する側面１５ａ、１５ｂから後記の所定の距離Ｗ1 、Ｗ2 （＞Ｗ1 ）だけ離間した位置に設けられている。なお、距離Ｗ1 、Ｗ2 は側面１５ａ、１５ｂと挿通孔１６の（中心ではなく）内壁との距離である。
前記距離Ｗ1 、Ｗ2 は、電線受け部１３に受け止められる電線束の太さをＤ1 、Ｄ2 （＜Ｄ1 ）として、電線受け部１３の内幅を中心対称にＤ1 、Ｄ2 に狭めるように設定する。即ち、略Ｕ字状の電線受け部１３の内幅（２本の柱状部１３ａ間の内幅）をＤ0 として、Ｗ1 ＝（Ｄ0 −Ｄ1 ）／２、Ｗ2 ＝（Ｄ0 −Ｄ2 ）／２とする。
【００２２】
図３（ａ）、（ｂ）により、本実施形態の布線治具１１を用いて幹線の太さの異なる電線束５ａ（太さ：Ｄ1 、Ｄ2 （＜Ｄ1 ））から分岐した枝線の電線束５ｂに部品７を取り付ける布線作業について説明する。なお、電線束５ｂの部品７を取り付ける位置は、電線束５ａの太さにかかわらず、その中心からＬ0 だけ離間した位置とする。また、電線受け部１３は略Ｕ字状をなす３本の柱状部１３ａ、１３ｂ、１３ｃからなり、電線束５ａは片側が１本の柱状部１３ａ、他の側が２本の柱状部１３ｂ、１３ｃで受け止められ、後者の２本の柱状部１３ｂ、１３ｃの間から電線束５ｂが分岐している。電線束５ａを受け止める柱状部１３ａと２本の柱状部１３ｂ、１３ｃとの内幅は、Ｄ0 とする。
【００２３】
図３（ａ）は、電線受け部１３で太さＤ1 の電線束５ａを受け止めた場合を示す。即ち、幅調整部品１５は、側面１５ａを内側にして柱状部１３ａ、１３ｂ、１３ｃに装着され、電線受け部１３の電線束５ａを受け止める内幅は、Ｄ1 に調整されて狭められている。
上述のように受け止められた電線束５ａの中心軸は、電線受け部１３の中心と一致し、電線束５ａの中心軸と部品７との距離は所定のＬ0 となる。
【００２４】
また、図３（ｂ）は、電線受け部１３で太さＤ2 の電線束５ａを受け止めた場合を示す。即ち、幅調整部品１５は、側面１５ｂを内側にして柱状部１３ａ、１３ｂ、１３ｃに装着され、電線受け部１３の電線束５ａを受け止める内幅は、Ｄ2 に調整されて狭められている。
上述のように受け止められた電線束５ａの中心軸は、電線受け部１３の中心と一致し、電線束５ａの中心軸と部品６との距離は所定のＬ0 となる。
【００２５】
本実施形態の布線治具１１が従来例と異なる特徴的なことは、幅調整部品１５が長方形断面の角柱状をなし、長方形断面の短辺が形成する側面１５ａ、１５ｂが幅調整部になっていることである。そうして、電線受け部１３に装着された幅調整部品１５の電線受け部１３の内側に向く側面を側面１５ａまたは側面１５ｂにすることにより、電線受け部１３の内幅を変えることができることである。
したがって、本実施形態によれば、一種類の幅調整部品１５で略Ｕ字状の電線受け部１３の内幅を中心対称に２通りに設定でき、幅調整部品１５を装着しない場合を含めて、太さの異なる３種類の電線束５ａをそれらの中心軸を電線受け部１３の中心と一致させて受け止め、ワイヤーハーネスを精度よく布線することができる。
【００２６】
図４は、幅調整部品１５の他の実施形態の平面図である。本実施形態の幅調整部品１５は、前記実施形態と同様に横断面が長方形断面の角柱状体をなし、電線受け部１３の柱状部１３ａが挿通される挿通孔１６が長方形断面に垂直に設けられている。また、角柱状体の底部には、柱状部１３ａの下部の曲がり部が嵌め込まれる溝１７が長辺方向および短辺方向に設けられており、溝１７と挿通孔１６はＴ字状につながっている。なお、溝１７と挿通孔１６とは、電線受け部１３の曲がり部が嵌め込み可能に、Ｒ部を介してつながっている。そうして、溝１７は、開口部が狭く設けられ、柱状部１３ａの径よりも狭く設けられている。
【００２７】
本実施形態では、挿通孔１６は、長方形断面の短辺が形成する側面１５ａ、１５ｂ（幅調整部）から所望の距離Ｗ1 、Ｗ2 （＞Ｗ1 ）だけ離間した位置に設けられており、かつ、長辺の形成する側面１５ｃ、１５ｄ（幅調整部）から所望の距離Ｗ3 、Ｗ4 （＞Ｗ3 ）だけ離間した位置に設けられている。
前記距離Ｗn （ｎ：１〜４）は、電線受け部１３に受け止められる電線束５ａの太さをＤn （ｎ：１〜４）として、電線受け部１３の内幅を中心対称にＤn （ｎ：１〜４）に狭めるように設定する。即ち、略Ｕ字状の電線受け部１３の内幅をＤ0 として、Ｗn ＝（Ｄ0 −Ｄn ）／２とする。
【００２８】
そうして、太さＤ1 の電線束５ａを受け止めるときは、側面１５ａを内側にして幅調整部品１５を電線受け部１３に装着し、太さＤ2 の電線束５ａを受け止めるときは、側面１５ｂを内側にして幅調整部品１５を電線受け部１３に装着する。また、太さＤ3 の電線束５ａを受け止めるときは、側面１５ｃを内側にして、太さＤ4 の電線束５ａを受け止めるときは、側面１５ｄを内側にして幅調整部品１５を電線受け部１３に装着する。したがって、本実施形態の一種類の幅調整部品１５により、４種類の太さの電線束５ａを中心軸と電線受け部１３の中心とを一致させて受け止めることができる。
【００２９】
なお、電線束５ａの中心軸と電線受け部１３の中心とを一致させる必要のない場合には、挿通孔１６と幅調整部となる側面１５ａ、１５ｂ、１５ｃ、１５ｄとの離間距離を適宜設定し、幅調整部品１５を略Ｕ字状の電線受け部１３の片側、図３においては柱状部１３ａのみ、または柱状部１３ｂと１３ｃのみに装着し、電線束５ａを略Ｕ字状の電線受け部１３の片側に寄せて受け止めてもよい。
【００３０】
なお、幅調整部品は上記実施形態に限定されることはなく、例えば、横断面が５角形、６角形などの４角形以外の多角形断面の角柱状部材であってもよい。
また、幅調整部品１５は柱状部材であって、その横断面が図５（ａ）に示すように、短辺部分が部分円形状の長方形状（トラック状）であり、部分円形状の短辺が形成する側面１５ｅが幅調整部であってもよく、また、横断面が図５（ｂ）に示すように楕円形状であり、挿通孔１６が長軸上に設けられ、長軸の両端部分が形成する側面１５ｅが幅調整部であってもよく、さらに、横断面が図５（ｃ）に示すように円形状であり、一つの直径の両端部分が形成する側面１５ｅが幅調整部であって、その直径上に挿通孔１６が設けられてもよい。このように、幅調整部品１５の幅調整部１５ｅが、長手方向に延びる柱状体の部分円形状などのＲがついた外表面（側面）であると、電線束を布線する際に、電線束はＲ部に当接するので、電線束に加わる張力を小さくすることができる。
【００３１】
また、幅調整部品１５の（電線受け部の柱状部の下部の曲がり部が嵌め込まれる）溝１７は、図６に示すように、ヒンジ部１７ａを有して開閉可能であり、閉じてロックできる構造であってもよい。このような構造の溝１７を有する幅調整部品１５では、電線束を布線治具の電線受け部から取り外す際に、幅調整部品１５が電線受け部の柱状部から外れるのを確実に防ぐことができる。
【図面の簡単な説明】
【００３２】
【図１】本発明に係るワイヤーハーネス布線治具の一実施形態の正面図である。
【図２】（ａ）〜（ｃ）はそれぞれ、上記実施形態における幅調整部品の平面図、正面図および側面図である。
【図３】（ａ）、（ｂ）はそれぞれ、上記実施形態のワイヤーハーネス布線治具を用いた布線作業の説明図である。
【図４】幅調整部品の他の実施形態の平面図である。
【図５】（ａ）〜（ｃ）はそれぞれ、本発明に係る幅調整部品の他の実施形態の平面図である。
【図６】本発明に係る幅調整部品の他の実施形態の側面図である。
【図７】（ａ）、（ｂ）はそれぞれ、従来のワイヤーハーネス布線治具の正面図である。
【図８】（ａ）、（ｂ）はそれぞれ、従来のワイヤーハーネス布線治具を用いた布線作業の問題点の説明図である。
【図９】従来のワイヤーハーネス布線治具の説明図である。
【符号の説明】
【００３３】
５ａ、５ｂ          電線束
７                  部品
１１                  布線治具
１２                  支柱部
１３                  電線受け部
１３ａ、１３ｂ，１３ｃ柱状部
１４                  布線治具本体
１５                  幅調整部品
１５ａ、１５ｂ、１５ｃ、１５ｄ、１５ｅ
側面（幅調整部）
１６                  挿通孔
１７                  溝
１７ａ                ヒンジ部
【図１】
2005332763.tif 000003
【図２】
2005332763.tif 000004
【図３】
2005332763.tif 000005
【図４】
2005332763.tif 000006
【図５】
2005332763.tif 000007
【図６】
2005332763.tif 000008
【図７】
2005332763.tif 000009
【図８】
2005332763.tif 000010
【図９】
2005332763.tif 000011